【手続補正書】
【提出日】平成17年4月6日(2005.4.6)
【手続補正１】
【補正対象書類名】明細書
【補正対象項目名】特許請求の範囲
【補正方法】変更
【補正の内容】
【特許請求の範囲】
【請求項１】
基材シートの少なくとも片面に、少なくとも一層のインク受容層を設けたインクジェット用記録シートにおいて、インク受容層が、有機ポリイソシアネートと、高分子量親水性ポリオール及び／又はポリアミンと、少なくとも１個の活性水素含有基と少なくとも１個の第３級アミノ基とを同一分子内に有する化合物と、少なくとも１個の活性水素含有基を有するポリシロキサン化合物とを、反応させることによって得られる親水性セグメントと第３級アミノ基とポリシロキサンセグメントとを有する親水性ポリウレタン系樹脂と微粒子アルミナとからなる組成物を用いて形成されていることを特徴とするインクジェット用記録シート。
【請求項２】
微粒子アルミナの含有量が、前記の親水性ポリウレタン系樹脂に対して５〜９５重量％である請求項１に記載のインクジェット用記録シート。
【請求項３】
微粒子アルミナは、前記の親水性ポリウレタン系樹脂を合成する際に、高分子量親水性ポリオール又はポリアミンの少なくとも一部として、高分子量親水性ポリオール又はポリアミンと微粒子アルミナとの混合物を用いることで前記の親水性ポリウレタン系樹脂中に含まれる請求項１に記載のインクジェット用記録シート。
【請求項４】
微粒子アルミナは、平均粒径が１〜３００ｎｍである請求項１に記載のインクジェット用記録シート。
【請求項５】
前記の親水性ポリウレタン系樹脂中の親水性セグメント及びポリシロキサンセグメントの含有量が、それぞれ３０〜８０重量％及び０．１〜１０重量％である請求項１に記載のインクジェット用記録シート。
【請求項６】
基材シートの少なくとも片面に、少なくとも一層のインク受容層を設けたインクジェット用記録シートを製造する方法において、インク受容層を、有機ポリイソシアネートと、高分子量親水性ポリオール及び／又はポリアミンと、少なくとも１個の活性水素含有基と少なくとも１個の第３級アミノ基とを同一分子内に有する化合物と、少なくとも１個の活性水素含有基を有するポリシロキサン化合物とを、反応させることによって親水性セグメントと第３級アミノ基とポリシロキサンセグメントとを有する親水性ポリウレタン系樹脂を合成する際に、高分子量親水性ポリオール／又はポリアミンの少なくとも一部として、高分子量親水性ポリオール／又はポリアミンと微粒子アルミナとの混合物を用いてなるアルミナ分散親水性ポリウレタン系樹脂組成物を用いて形成することを特徴とするインクジェット用記録シートの製造方法。
【請求項７】
前記の混合物は、高分子量親水性ポリオール／又はポリアミンとアルミナゾルとの混合物からアルミナゾルの分散溶剤を除去して得られるものである請求項６に記載のインクジェット用記録シートの製造方法。
【請求項８】
前記の混合物中のアルミナの含有量が、前記の親水性ポリウレタン系樹脂に対して５〜９５重量％となる量である請求項６に記載のインクジェット用記録シートの製造方法。
【請求項９】
微粒子アルミナは、平均粒径が１〜３００ｎｍである請求項６に記載のインクジェット用記録シートの製造方法。
【請求項１０】
前記の親水性ポリウレタン系樹脂中の親水性セグメント及びポリシロキサンセグメントの含有量が、それぞれ３０〜８０重量％及び０．１〜１０重量％である請求項６に記載のインクジェット用記録シートの製造方法。
【手続補正２】
【補正対象書類名】明細書
【補正対象項目名】００１０
【補正方法】変更
【補正の内容】
【００１０】
【課題を解決するための手段】
上記目的は以下の本発明によって達成される。
即ち、本発明は、基材シートの少なくとも片面に、少なくとも一層のインク受容層を設けたインクジェット用記録シートにおいて、インク受容層が、有機ポリイソシアネートと、高分子量親水性ポリオール及び／又はポリアミンと、少なくとも１個の活性水素含有基と少なくとも１個の第３級アミノ基とを同一分子内に有する化合物と、少なくとも１個の活性水素含有基を有するポリシロキサン化合物とを、反応させることによって得られる親水性セグメントと第３級アミノ基とポリシロキサンセグメントとを有する親水性ポリウレタン系樹脂と微粒子アルミナとからなる組成物を用いて形成されていることを特徴とするインクジェット用記録シートである。
【手続補正３】
【補正対象書類名】明細書
【補正対象項目名】００１１
【補正方法】変更
【補正の内容】
【００１１】
又、本発明は、基材シートの少なくとも片面に、少なくとも一層のインク受容層を設けたインクジェット用記録シートを製造する方法において、インク受容層を、有機ポリイソシアネートと、高分子量親水性ポリオール及び／又はポリアミンと、少なくとも１個の活性水素含有基と少なくとも１個の第３級アミノ基とを同一分子内に有する化合物と、少なくとも１個の活性水素含有基を有するポリシロキサン化合物とを、反応させることによって親水性セグメントと第３級アミノ基とポリシロキサンセグメントとを有する親水性ポリウレタン系樹脂を合成する際に、高分子量親水性ポリオール／又はポリアミンの少なくとも一部として、高分子量親水性ポリオール／又はポリアミンと微粒子アルミナとの混合物を用いてなるアルミナ分散親水性ポリウレタン系樹脂組成物を用いて形成することを特徴とするインクジェット用記録シートの製造方法である。
【手続補正４】
【補正対象書類名】明細書
【補正対象項目名】００４７
【補正方法】変更
【補正の内容】
【００４７】
本発明における親水性ポリウレタン系樹脂中の第３級アミノ基の含有量は、分子量１０，０００当たり１個以下では、本発明の所期の目的である耐水性、耐ブロッキング性といった特性の発現が不十分となり、一方、第３級アミノ基の含有量が分子量２０当たり１個を超えると樹脂中の親水性部分の減少による撥水性が強くなり、吸水性能や防曇性に劣るようになるので好ましくない。
【手続補正５】
【補正対象書類名】明細書
【補正対象項目名】００６３
【補正方法】変更
【補正の内容】
【００６３】
この溶液は固形分２０％で、５０ｄＰａ・ｓ（２５℃）の粘度を有し、ポリウレタン樹脂のＧＰＣで測定した（以下の例においても同様）重量平均分子量は６２，０００であり、該樹脂中の親水性セグメントの含有量は４９．１％、ポリシロキサンセグメントの含有量は２．１％で、アルミナの含有量は１７．４％であった。
この樹脂組成物溶液から形成したフィルムは、透明で、破断強度は２８．８Ｍｐａ、破断伸度は５０％、且つ軟化点は１６３℃であった。
【手続補正６】
【補正対象書類名】明細書
【補正対象項目名】００６５
【補正方法】変更
【補正の内容】
【００６５】
この溶液は固形分２０％で４０ｄＰａ・ｓ（２５℃）の粘度を有していた。ポリウレタン−ポリウレア樹脂の重量平均分子量は４１，０００であり、樹脂中の親水性セグメントの含有量は４７．５％、ポリシロキサンセグメントの含有量は２．５％で、アルミナの含有量は２５．１％であった。
この樹脂組成物溶液から形成したフィルムは、透明で破断強度は２１．５Ｍｐａ、破断伸度は２０％、且つ軟化点は１７６℃であった。
【手続補正７】
【補正対象書類名】明細書
【補正対象項目名】００６７
【補正方法】変更
【補正の内容】
【００６７】
この溶液は固形分２０％で１１０ｄＰａ・ｓ（２５℃）の粘度を有し、ポリウレア樹脂の重量平均分子量は３８，０００であり、樹脂中の親水性セグメントの含有量は４６．５％、ポリシロキサンセグメントの含有量は６．２％で、アルミナの含有量は８０．７％であった。
この樹脂組成物溶液から形成したフィルムは、やや半透明で多孔質で、破断強度は５．０Ｍｐａ、破断伸度は５％、且つ軟化点は２１０℃であった。